(57)【要約】分析種を分類するための方法が、質量分析計での実験分析種を分析する工程を含んでいる。方法は、実験分析種をライブラリヒットリスト内の複数の候補分析種に比較し、各候補分析種へ累積信頼度スコアを割り当てる工程であって、ライブラリ類似度スコアに基づいて実験分析種を候補分析種に比較する工程、分子イオンの最も存在度の高い同位体の存在及びそれの質量に基づいて実験分析種を候補分析種に比較する工程、フラグメントイオンの存在度及びフラグメントイオンの質量に基づいて実験分析種を候補分析種に比較する工程、及び一部の実施形では保持指標値に基づいて実験分析種を候補分析種に比較する工程、に基づいて累積信頼度スコアを割り当てる工程、を含んでいる。方法は、候補分析種を各候補分析種の累積信頼度スコアに基づいて分類する工程を含んでいる。【選択図】図１
2021510829.tif 000002
【特許請求の範囲】
【請求項１】
分析種を分類するための方法であって、
質量分析計での実験分析種を分析する工程と、
前記実験分析種をライブラリヒットリスト内の複数の候補分析種に比較し、各候補分析種へ累積信頼度スコアを割り当てる工程であって、
ライブラリ類似度スコアに基づいて前記実験分析種を前記候補分析種に比較する工程、
分子イオンの最も存在度の高い同位体の存在及びそれの質量に基づいて前記実験分析種を前記候補分析種に比較する工程、及び、
フラグメントイオンの存在度、ピーク中のイオン数、及びフラグメントイオンの質量に基づいて前記実験分析種を前記候補分析種に比較する工程、
に基づいて累積信頼度スコアを割り当てる工程と、
前記候補分析種を、各候補分析種の前記累積信頼度スコアに基づいて分類する工程と、
を備えている方法。
【請求項２】
前記ライブラリ類似度スコアは、Ｘに等しい値及びＸより下の値から成る不合格範囲と、Ｙに等しい値及びＹより上の値から成る合格範囲と、ＸとＹの間の値から成る中立範囲と、を有している、請求項１に記載の分析種を分類するための方法。
【請求項３】
前記不合格範囲に入る候補分析種の前記累積信頼度スコアの部分は−１．５の値を割り当てられ、前記中立範囲に入る候補分析種の前記累積信頼度スコアの部分は０の値を割り当てられ、前記合格範囲に入る候補の前記累積信頼度スコアの部分は１の値を割り当てられる、請求項２に記載の分析種を分類するための方法。
【請求項４】
前記分子イオンの前記最も存在度の高い同位体は、最低限の許容可能な存在度及び質量確度ウインドーに基づく不合格判定基準、合格判定基準、及び中立判定基準を有しており、前記不合格判定基準は、前記分子イオンの前記最も存在度の高い同位体の前記存在度が前記最低限の許容可能な存在度を超過し且つ前記分子イオンの前記最も存在度の高い同位体の質量が前記質量確度ウインドーの外であることを要件とし、前記合格判定基準は、前記分子イオンの前記最も存在度の高い同位体の前記存在度が前記最低限の許容可能な存在度を超過し且つ前記分子イオンの前記最も存在度の高い同位体の前記質量が前記質量確度ウインドーの内であることを要件とし、前記中立判定基準は、前記不合格判定基準及び前記合格判定基準が満たされない場合に満たされる、請求項１に記載の分析種を分類するための方法。
【請求項５】
前記不合格判定基準を満たしている候補分析種の前記累積信頼度スコアの部分は−１．５の値を割り当てられ、前記合格判定基準を満たしている候補分析種の前記累積信頼度スコアの部分は１の値を割り当てられ、前記中立判定基準を満たしている候補分析種の前記累積信頼度スコアの部分は０の値を割り当てられる、請求項４に記載の分析種を分類するための方法。
【請求項６】
前記フラグメントイオンは、最低限の許容可能な存在度及び質量確度ウインドーに基づく合格判定基準、中立判定基準、及び不合格判定基準を有しており、前記合格判定基準は、前記フラグメントイオンの前記存在度が前記最低限の許容可能な存在度を超過し且つ前記フラグメントイオンの前記質量が前記質量確度ウインドーの内であることを要件とし、前記中立判定基準は、前記フラグメントイオンが前記最低限の許容可能な存在度判定基準を超過しない場合又は前記フラグメントイオンピークのどれもが少なくとも最小イオン数を包含していない場合に満たされる、請求項１に記載の分析種を分類するための方法。
【請求項７】
前記合格判定基準を満たしている候補分析種の前記累積信頼度スコアの部分は１の値を割り当てられ、前記不合格判定基準を満たしている候補分析種の前記累積信頼度スコアの部分は−１．５の値を割り当てられ、前記中立判定基準を満たしている候補分析種の前記累積信頼度スコアの部分は０の値を割り当てられる、請求項６に記載の分析種を分類するための方法。
【請求項８】
前記フラグメントイオンの前記最低限の許容可能な存在度はＺ％である、請求項６に記載の分析種を分類するための方法。
【請求項９】
前記実験分析種をライブラリヒットリスト内の複数の候補分析種に比較し、各候補分析種へ累積信頼度スコアを割り当てる前記工程は、
保持指標値に基づいて前記実験分析種を前記候補分析種に比較する工程、を更に備えている、請求項１に記載の分析種を分類するための方法。
【請求項１０】
前記保持指標値は、１つ又はそれ以上の次元による保持指標値から選択されている、請求項９に記載の分析種を分類するための方法。
【請求項１１】
前記保持指標値は、許容保持指標ウインドーに基づく合格範囲、中立判定基準、及び不合格範囲を有しており、前記合格範囲は前記許容保持指標ウインドーの内であり、前記中立判定基準は前記候補分析種の前記保持指標値が使えないことを要件とし、前記不合格範囲は前記許容保持指標ウインドーの外である、請求項９に記載の分析種を分類するための方法。
【請求項１２】
前記合格範囲に入る候補分析種の前記累積信頼度スコアの部分は１の値を割り当てられ、前記中立判定基準を満たしている候補分析種の前記累積信頼度スコアの部分は０の値を割り当てられ、前記不合格範囲に入る候補分析種の前記累積信頼度スコアの部分は０の値を割り当てられる、請求項１１に記載の分析種を分類するための方法。
【請求項１３】
前記許容保持指標ウインドーはＷ単位である、請求項１１に記載の分析種を分類するための方法。
【請求項１４】
前記累積信頼度スコアは−６から４までの範囲である、請求項１に記載の分析種を分類するための方法。
【請求項１５】
前記候補分析種は各候補分析種の前記累積信頼度スコアの降順に分類される、請求項１に記載の分析種を分類するための方法。
【請求項１６】
実験分析種を分析することに関する前記工程は、ガスクロマトグラフィ−質量分析計を使用して起こる、請求項１に記載の分析種を分類するための方法。
【発明の詳細な説明】
【技術分野】
【０００１】
この開示は、ガスクロマトグラフィ−高分解度質量分析（ＧＣ−ＨＲＭＳ）、包括的二次元ガスクロマトグラフィ−高分解度質量分析（ＧＣ×ＧＣ−ＨＲＭＳ）、などを含む、質量分析計での試料の分析から得られるデータを処理する分野に関する。
【背景技術】
【０００２】
揮発性化合物と半揮発性化合物の複合混合物の分析からもたらされる分析種割り当ての信頼性を改善するのが望ましいのではないだろうか。分析種割り当ての結果を検欄する工程では、ライブラリヒットをより意味のある順に並べ替えライブラリヒットリスト内の誤った結果の確率を下げることによって分析員の労力を軽減するのが望ましいのではないだろうか。
【０００３】
ガスクロマトグラフィ−高分解度質量分析（ＧＣ−ＨＲＭＳ）並びに包括的二次元ガスクロマトグラフィ−高分解度質量分析（ＧＣ×ＧＣ−ＨＲＭＳ）では、未知の又は疑われる分析種の混合物がＧＣ注入部の中へ導入され、分析種は各々の物理化学的特性に従って分離される。その結果、分離された分析種はＧＣカラムから溶離し、イオン化のために質量分析計のイオン源の中へ導入される。分析種分子がイオン化されフラグメントイオンが作られる。質量分析計は分析種分子からのイオン及びフラグメントイオンを検出し、データは、各検出瞬時に対応するイオン質量と信号強度の組合せのリストであるマススペクトルとして提示される。
【０００４】
マススペクトルは、記録され、保存され、マススペクトルデータベースに照らして検索されることができる。マススペクトルデータベースは、例えばＮＩＳＴ、Ｗｉｌｌｅｙなどの様な商業的に利用可能なデータベースを含む。別の例として、マススペクトルデータベースはユーザーによってカスタム作成されることもある。検索の結果は、問題の分析種毎のヒットリストとして提示されることができる。ヒットリストは、問題の分析種について提案される割り当てのための見込まれる候補のリストを包含する。ヒットリストエントリーのそれぞれは、候補を記述する情報、例えば名前、分子式、分子構造、マススペクトル、環二重結合等価数（ＲＤＢＥ）など、及び候補のライブラリマススペクトルに対する実験マススペクトルのマッチング確率を記述する情報、例えば類似度スコア、逆検索スコア、確率スコアなどの様な情報を包含する。
【０００５】
ヒットリストが多数のエントリ（ユーザーによって設定された一連のマッチングパラメータに依存）を包含していて、その場合、より高い類似度スコアを有する候補が正しい割り当てである可能性がより高いとの仮定の下に、ヒットリストが類似度スコアの高いほうから低いほうへ順に並び変えられるようになっていることもある。分析員は、分析種割り当ての検覧を行うことになるだろう。検覧中に、分析員は最も高く順位づけられたヒットをピーク割り当てとして選択することができる。代わりに、分析員は、最も高く順位づけられたヒットの或る範囲、例えば上位５、上位１０から、又は何れかの他の適切な範囲から、ピーク割り当てを選択することもできる。
【０００６】
検覧は、提案された候補が分析された試料中に存在する可能性を試料のタイプと起源に基づいて解明すること、特徴的なフラグメントイオン、クロマトグラフィ条件に対する対応（即ち、候補はどれほど揮発性であるか及び候補はどのように注入部及びカラム温度に対応するかなど）、溶離順、などを探ること、を含み得る。検覧には、ＧＣ−ＭＳ及び関連のトピックスについての実質的な専門知識が必要とされ、ＧＣ−ＭＳ分野の専門家頼みになることもある。
【０００７】
場合によっては、分析員が候補分析種（購入された標準又は合成されたもの）を入手し、既知の分析種に対し候補分析種と同一又は類似の条件で分析を行い、既知の分析種からの結果を候補分析種と比較することもある。マススペクトル及びクロマトグラフィ保持時間がマッチすれば、典型的には、割り当ては確証されることになる。クロマトグラム及びマススペクトルのマニュアルキュレーションによる分析種割り当て並びに標準を実行することによる確証のプロセスは、長時間に及び、費用もかかり、それでいて結果の１００％信頼性を保証するとは限らない。したがって、ＧＣ−ＭＳの結果を使う分析化学者及び研究者にとって、分析種割り当てのプロセスの信頼性の改善及び簡易化が望ましいのではないだろうか。
【発明の概要】
【０００８】
開示の１つの態様は、分析種を分類するための方法を提供しており、方法は、例えばガスクロマトグラフィ−質量分析と関連して、質量分析計での実験分析種を分析する工程を含んでいる。方法は、実験分析種をライブラリヒットリスト内の複数の候補分析種に比較し、各候補分析種へ累積信頼度スコアを割り当てる工程であって、ライブラリ類似度スコアに基づいて実験分析種を候補分析種に比較する工程、分子イオンの最も存在度の高い同位体の存在及び質量確度に基づいて実験分析種を候補分析種に比較する工程、フラグメントイオンの存在及び質量確度に基づいて実験分析種を候補分析種に比較する工程、及び一部の実施形では保持指標値に基づいて実験分析種を候補分析種に比較する工程、に基づいて累積信頼度スコアを割り当てる工程、を含んでいる。方法は、候補分析種を各候補分析種の累積信頼度スコアに基づいて分類する工程を含んでいる。
【０００９】
開示の諸実施形は、以下の特徴の１つ又は複数を含むことができる。
【００１０】
ライブラリ類似度スコアは、Ｘに等しい値及びＸより下の値から成る不合格範囲と、Ｙに等しい値及びＹより上の値から成る合格範囲と、ＸとＹの間の値から成る中立範囲と、を有していてもよい。
【００１１】
不合格範囲に入る候補分析種の累積信頼度スコアの部分は−１．５の値を割り当てられ、中立範囲に入る候補分析種の累積信頼度スコアの部分は０の値を割り当てられ、合格範囲に入る候補の累積信頼度スコアの部分は１の値を割り当てられるようになっていてもよい。
【００１２】
分子イオンの最も存在度の高い同位体の対候補質量確度は、最低限の許容可能な存在度及び質量確度ウインドーに基づく不合格判定基準、合格判定基準、及び中立判定基準を有していてもよい。不合格判定基準は、分子イオンの最も存在度の高い同位体の存在度が最低限の許容可能な存在度を超過し且つ分子イオンの最も存在度の高い同位体の質量が質量確度ウインドーの外であることを要件としていてもよい。合格判定基準は、分子イオンの最も存在度の高い同位体の存在度が最低限の許容可能な存在度を超過し且つ分子イオンの最も存在度の高い同位体の質量が質量確度ウインドーの内であることを要件としていてもよい。中立判定基準は、分子イオンがマススペクトル中に在ると予想されない、ライブラリ内のその存在度が確立された最小存在度より下である、又はイオンピーク中のイオン数が最小数より下である、という場合に満たされるとしてもよい。
【００１３】
不合格半径基準を満たしている候補分析種の累積信頼度スコアの部分は−１．５の値を割り当てられ、合格判定準を満たしている候補分析種の累積信頼度スコアの部分は１の値を割り当てられ、中立判定基準を満たしている候補分析種の累積信頼度スコアの部分は０の値を割り当てられるようになっていてもよい。
【００１４】
フラグメントイオンは、最低限の許容可能な存在度及び質量確度ウインドーに基づく合格判定基準、中立判定基準、及び不合格判定基準を有していてもよい。フラグメントイオンの存在度が最低限の許容可能な存在度を超過し、フラグメントイオンの質量が――ここに化学式は候補分析種の分子式の化学元素のサブセットからしかつくられない――質量確度ウインドーの内であるという場合に、合格判定基準は満たされてもよい。但し、フラグメントイオン化学式は候補分析種の分子式からの元素のサブセットのみであってもよい。フラグメントイオンの存在度が最低限の許容可能な存在度を超過し、フラグメントイオンの質量が――ここに化学式は候補分析種の分子式の化学元素のサブセットからしかつくられない――質量確度ウインドーの外である場合に、不合格判定基準は満たされてもよい。中立判定基準は、フラグメントイオンが最低限の許容可能な存在度を超過していない又はピーク内のイオン数が最小判定基準より下であるという場合に満たされてもよい。
【００１５】
合格判定基準を満たしている候補分析種の累積信頼度スコアの部分は１の値を割り当てられ、不合格判定基準を満たしている候補分析種の累積信頼度スコアの部分は−１．５の値を割り当てられ、中立判定基準を満たしている候補分析種の累積信頼度スコアの部分は０の値を割り当てられるようになっていてもよい。
【００１６】
フラグメントイオンの最低限の許容可能な存在度はＺ％であってもよい。
【００１７】
保持指標値は、許容保持指標ウインドーに基づく合格範囲、中立範囲、及び不合格範囲を有していてもよい。合格範囲は許容保持指標ウインドーの内であることとしてもよい。中立判定基準は、候補分析種の保持指標値が使えないことを要件としていてもよい。不合格範囲は、許容保持指標ウインドーの外であるとしてもよい。
【００１８】
合格範囲に入る候補分析種の累積信頼度スコアの部分は１の値を割り当てられ、中立判定基準を満たしている候補分析種の累積信頼度スコアの部分は０の値を割り当てられ、不合格範囲に入る候補分析種の累積信頼度スコアの部分は１の値を割り当てられるようになっていてもよい。
【００１９】
許容保持指標ウインドーはＷ単位であるとしてもよい。
【００２０】
累積信頼度スコアは−６から４までの範囲であってもよい。
【００２１】
候補分析種は、各候補分析種の累積信頼度スコアの降順に順位づけられてもよい。
【００２２】
開示の１つ又はそれ以上の実施形の詳細が、添付図面及び以下の説明に示されている。他の態様、特徴、及び利点は、説明と図面から及び特許請求の範囲から明らかになるであろう。
【図面の簡単な説明】
【００２３】
【図１】分析種を分類するための方法のフローチャートである。
【図２】分析種を分類するための方法の部分のフローチャートである。
【図３】分析種を分類するための方法の部分のフローチャートである。
【図４】分析種を分類するための方法の部分のフローチャートである。
【図５】分析種を分類するための方法の部分のフローチャートである。
【発明を実施するための形態】
【００２４】
様々な図面中の同様の参照符号は同様の要素を表す。
【００２５】
図１を参照すると、分析種を分類するための方法１０が概括的に示されている。分析種を分類するための方法１０は、ガスクロマトグラフィ−質量分析を使用して実験分析種を分析する工程１２を含んでいる。方法は工程１２に示されるクロマトグラフィ−質量分析型の配置に関連して開示されているが、他の質量分析計構成に関連した順位づけ方法にとっては他の構成が適切である。引き続き図１を参照して、方法１０は、実験分析種をライブラリヒットリスト内の複数の候補分析種と比較する工程１６−２２及び各候補分析種へ累積信頼度スコアを割り当てる工程２４−３０を含んでおり、割り当てる工程２４−３０は、ライブラリ類似度スコアに基づいて実験分析種を候補分析種に比較する工程１６、分子イオンの最も存在度の高い同位体に基づいて実験分析種を候補分析種に比較する工程１８、フラグメントイオンの存在度及び質量確度に基づいて実験分析種を候補分析種に比較する工程２０、及び一部の実施形では保持指標値に基づいて実験分析種を候補分析種に比較する工程２２、に基づいて累積信頼度スコアを割り当てる。方法は候補分析種を各候補分析種の累積信頼度スコアに基づいて分類する工程３４を含んでいる。
【００２６】
或る実施形では、ここに説明されている様に、ガスクロマトグラフィ−質量分析（ＧＣ−ＭＳ）又はガスクロマトグラフィ−高分解度質量分析（ＧＣ−ＨＲＭＳ）を用いて実験分析種が分析されることになる。別の例として、実験分析種の分析１２は、任意の適切なプロセスによって遂行されてもよい。ＧＣ−ＭＳ、ＧＣ×ＧＣ−ＭＳ、ＧＣ−ＨＲＭＳ、又はＧＣ×ＧＣ−ＨＲＭＳの使用は当該技術分野では既知ということになるだろう。
【００２７】
候補分析種のライブラリヒットリストは、例えばソフトウェアアプリケーション、手作業による処理などの様な任意の適切な手段によって伝えられるだろう１４。ライブラリヒットリストは、候補分析種を実験分析種と比較できるように、候補分析種それぞれについてのデータを包含していてもよい。候補分析種の実験分析種に対する比較及び対応するデータはヒット表に提示されるようになっていてもよい。
【００２８】
図２を参照すると、ライブラリ類似度スコアを比較するための方法８８が概括的に示されている。ライブラリ類似度スコア及び関連の判定基準は因子１と呼称されることもできる。方法８８は、各候補分析種のライブラリ類似度スコアを求める工程３６を含むことができる。例えば、ライブラリ類似度スコアは、Ｘに等しい値及びＸより下の値から成る不合格範囲と、Ｙに等しい値及びＹより上の値から成る合格範囲と、ＸとＹの間の値から成る中立範囲と、を有していてもよい。Ｘは例えば６００であり、Ｙは例えば８００であってもよい。代わりに、Ｘ及びＹは任意の適切な値であってもよい。不合格範囲、中立範囲、及び合格範囲は、ユーザーによって定義されてもよいし又は任意の適切な値の範囲であってもよい。ライブラリ類似度スコアが不合格範囲の内にある、例えば６００に等しいか６００より下であるという場合３８、工程４４にて累積信頼度スコアの部分は−１．５の値を割り当てられることになる。ライブラリ類似度スコアが合格範囲の内にある、例えば８００に等しいか又は８００より上であるという場合４０、工程４６にて累積信頼度スコアの部分は１の値を割り当てられることになる。ライブラリ類似度スコアが中立範囲の内にある、例えば６０１と７９９の間にあるという場合４２、工程４８にて累積信頼度スコアの部分は０の値を割り当てられることになる。
【００２９】
図３を参照すると、分子イオンの最も存在度の高い同位体を比較するための方法９０が概括的に示されている。分子イオンの最も存在度の高い同位体及び関連の判定基準は因子２と呼称されることもできる。ユーザーは質量確度ウインドーを例えばｐｐｍ又はｍＤａの単位で割り当てることができ、またユーザーはライブラリースペクトル中の分子イオンの最も存在度の高い同位体の最低限の許容可能な存在度を割り当てることができる。方法９０は、分子イオンの最も存在度の高い同位体の存在及びそれのｍ／ｚを求める工程を含むことができる。分子イオンの最も存在度の高い同位体は、最低限の許容可能な存在度及び質量確度ウインドーに基づく不合格判定基準、合格判定基準、及び中立判定基準を有していてもよい。不合格判定基準は、分子イオンの最も存在度の高い同位体の存在度が最低限の許容可能な存在度を超過し且つ分子イオンの最も存在度の高い同位体の質量が質量確度ウインドーの外であることを要件としていてもよい。合格判定基準は、分子イオンの最も存在度の高い同位体の存在度が最低限の許容可能な存在度を超過し且つ分子イオンの最も存在度の高い同位体の質量が質量確度ウインドーの内であることを要件としていてもよい。中立判定基準は、不合格判定基準及び合格判定基準が満たされない場合に満たされるとしてもよい。合格判定基準が満たされる、例えば分子イオンの最も存在度の高い同位体の存在度が最低限の許容可能な存在度より上であり質量が質量確度ウインドーの内であるという場合５２、工程５８にて累積信頼度スコアの部分は１の値を割り当てられることになる。不合格判定基準が満たされる、例えば分子イオンの最も存在度の高い同位体の存在度が最低限の許容可能な存在度より上であり且つ質量が質量確度ウインドーの外にあるという場合５４、工程６０にて累積信頼度スコアの部分は−１．５の値を割り当てられることになる。中立判定基準が満たされる、例えば合格判定基準も不合格判定基準も満たされていないという場合５６、工程６２にて累積信頼度スコアの部分は０の値を割り当てられることになる。
【００３０】
質量確度基準について考慮されることになるイオンピーク中の最小イオン数は、例えば２５イオンと定義されていてもよい。マススペクトル内のイオンピークが例えば２５イオンとされる最小イオン数より少ないイオンを包含していて、それらのイオンが対応する累積信頼度スコアを定義するために使用されるという場合は、中立判定基準が満たされ、累積信頼度スコアの部分は０の値を割り当てられるようになっていてもよい。別の例として、最小イオン数及び質量確度ウインドーについてのより精錬された定義が、例えばシステムの分解能、考慮イオンのｍ／ｚ、スペクトル取得速度、クロマトグラフィピーク幅などに基づいて実施されてもよい。システムの信号強度を正確に検出する能力を上回る信号強度を有するイオンピーク、例えば飽和イオンは、無視されてもよい。
【００３１】
図４を参照すると、フラグメントイオンを比較するための方法９２が概括的に示されている。フラグメントイオン及び関連の判定基準は因子３と呼称されることもできる。ユーザーは、フラグメントイオンの最低限の許容可能な存在度を定義することができる。例えば、フラグメントイオンの最低限の許容可能な存在度はＺ％であるとしてもよい。例えば、Ｚは１０００分の３００に等しい、即ち３０％に等しいとされてもよいし、又は他の任意の適切な値に等しいとされてもよい。ユーザーは、質量確度ウインドーをｐｐｍ又はｍＤａの単位で定義することができる。フラグメントイオンは、最低限の許容可能な存在度及び質量確度ウインドーに基づく合格判定基準、中立判定基準、及び不合格判定基準を有していてもよい。フラグメントイオンの存在度が最低限の許容可能な存在度を超過し、フラグメントイオンの質量が――ここに化学式は候補分析種の分子式の化学元素のサブセットからしかつくられない――質量確度ウインドーの内であるという場合に、合格判定基準は満たされてもよい。但し、フラグメントイオン化学式は候補分析種の分子式からの元素のサブセットのみであってもよい。フラグメントイオンの存在度が最低限の許容可能な存在度を超過し、フラグメントイオンの質量が――ここに化学式は候補分析種の分子式の化学元素のサブセットからしか生成されない――質量確度ウインドーの外である場合に、不合格判定基準は満たされてもよい。中立判定基準は、フラグメントイオンが最低限の許容可能な存在度を超過していない又はピーク内のイオン数が最小判定基準より下である場合に満たされてもよい。合格判定基準が満たされる、例えばフラグメントイオンの存在度が最低限の許容可能な存在度より上であり且つ質量が質量確度ウインドーの内にあるという場合６６、工程７０にて累積信頼度スコアの部分は１の値を割り当てられることになる。不合格判定基準が満たされる、例えば合格判定基準が満たされないという場合６８、工程７２にて累積信頼度スコアの部分が−１．５の値を割り当てられることになる。中立判定基準が満たされる、例えばフラグメントイオンの存在度が最低限の許容可能な存在度より下である又はフラグメントイオンピークがどれも最小判定基準を上回っていないという場合６７、工程７１にて累積信頼度スコアの部分は０の値を割り当てることになる。
【００３２】
質量確度基準について考慮されることになるイオンピーク中の最小イオン数は、例えば２５イオンと定義されていてもよい。マススペクトル内のイオンピークが例えば２５イオンとされる最小イオン数より少ないイオンを包含していて、それらのイオンが対応する累積信頼度スコアを定義するために使用されるという場合は、中立判定基準が満たされ、累積信頼度スコアの部分は０の値を割り当てられるようになっていてもよい。別の例として、最小イオン数及び質量確度ウインドーについてのより精錬された定義が、例えばシステムの分解能、考慮イオンのｍ／ｚ、スペクトル取得速度、クロマトグラフィピーク幅などに基づいて実施されてもよい。システムの信号強度を正確に検出する能力を上回る信号強度を有するイオンピーク、例えば飽和イオンは、無視されてもよい。
【００３３】
図５を参照すると、保持指標値を比較するための方法９４が概括的に示されている。保持指標値は因子４と呼称されることもできる。ユーザーは、許容保持指標ウインドーを定義することができる。例えば、許容保持指標ウインドーはＷ単位とされてもよい。例えば、Ｗは５０の値を有していてもよいし、又は任意の他の適切な値を有していてもよい。保持指標値は、許容保持指標ウインドーに基づく合格範囲、中立判定基準、及び不合格範囲を有していてもよい。合格範囲は許容保持指標ウインドーの内であるとしてもよい。中立判定基準は、候補分析種の保持指標値が使えないことを要件としていてもよい。不合格範囲は、許容保持指標ウインドーの外であるとしてもよい。合格判定基準が満たされる、例えば候補分析種の保持指標値が許容保持指標値の内にあるという場合７６、工程８２にて累積信頼度スコアの部分は１の値を割り当てられることになる。不合格判定基準が満たされる、例えば候補分析種の保持指標値が許容保持指標ウインドーの外であるという場合７８、工程８４にて累積信頼度スコアの部分は−１．５の値を割り当てられることになる。中立判定基準が満たされる、例えば候補分析種の保持指標値が使えないという場合８０、工程８６にて累積信頼度スコアの部分は０の値を割り当てられることになる。
【００３４】
図１を参照して、累積信頼度スコアの諸部分が合計されて、候補分析種毎の累積信頼度スコアが求められることになる３２。累積信頼度スコアは−６から４までの範囲ということになろう。候補分析種は、各候補分析種の累積信頼度スコアの降順に分類されることができる３４。例えば、候補分析種は、デフォルトにより各候補分析種の累積信頼度スコアの降順に順位づけられ、２つ又はそれ以上の候補分析種の累積信頼度スコアの値が等しい場合にスペクトル類似度スコアによる二次的な仕分けがなされてもよい。それでもなお同点の場合、最初に見つけられた候補分析種が後で見つけられた候補分析種よりも高位に分類されるようになっていてもよい。
【００３５】
分析種を分類するための方法１０は、誤ったヒットを除外し、おそらくはガスクロマトグラフィ例えば因子４からの及び質量分析例えば因子１−３からの候補分析種をヒットリストの最上位に動かすことによって、候補分析種提案の信頼性を改善することができるだろう。
【００３６】
累積信頼度スコアがどのように計算されたかをユーザーが理解するのを支援するため、ヒット表は、どの因子が中立値例えば０を又は不合格値例えば−１．５を割り当てられたのかを表示する注記付きの関連事項列を含んでいてもよい。
【００３７】
別の例として、累積信頼度スコアの部分へ割り当てられる値、例えば合格値、不合格値、及び中立値は、割り当ての信頼性に対する様々な因子の重要度をより十分に反映させるように因子毎に修正されてもよい。例えば、因子１が因子２よりも重要であると判断された場合、因子１での不合格範囲、中立範囲、及び合格範囲へ割り当てられる値は、それぞれ−１．５、０、及び１から−２．５、０、及び２へ変更されてもよい。別の例として、例えば同位体の存在度の様な他の判定基準に基づき、付加的因子が追加されてもよい。
【００３８】
多くの実施形を説明してきた。とはいえ、開示の精神及び範囲から逸脱することなく、様々な修正がなされ得ることを理解しておきたい。したがって、他の実施形は付随の特許請求の範囲による範囲の内にある。
【符号の説明】
【００３９】
１０  分析種を分類するための方法
８８  ライブラリ類似度スコアを比較するための方法
９０  分子イオンの最も存在度の高い同位体を比較するための方法
９２  フラグメントイオンを比較するための方法
９４  保持指標値を比較するための方法
【図１】
2021510829.tif 000003
【図２】
2021510829.tif 000004
【図３】
2021510829.tif 000005
【図４】
2021510829.tif 000006
【図５】
2021510829.tif 000007
【国際調査報告】
2021510829.tif 000008
2021510829.tif 000009